(57)【要約】【課題】  従来のベルトコンベア装置は、組立や調整が困難だった。【解決手段】  駆動車と、従動車と、両車に掛けて駆動車の回転により走行可能とした無端平ベルトと、無端平ベルトの上方走行部の下に配置された上方開口の樋状のベルトガイドを備え、走行中の無端平ベルトは上方走行部の裏面がベルトガイドに接触して上方開口の樋状に変形して搬送物を搭載可能としてある。また、前記無端平ベルトの上方走行部の下に配置されたベルトガイドの入口側に導入ガイドが、出口側に導出ガイドが設けられ、導入ガイドは無端平ベルトの下方走行部側から走行してくる平面状の無端平ベルトの幅方向両端側を上方に押し上げて上方開口の樋状に湾曲可能な形状であり、導出ガイドはベルトガイドから上方開口の樋状で出てくる無端平ベルトの上方走行部が次第に平面状に復元される形状にしてある。【選択図】図１
2005225635.tif 000002
【特許請求の範囲】
【請求項１】
駆動車と、従動車と、両車に掛けて駆動車の回転により走行可能とした無端平ベルトと、無端平ベルトの上方走行部の下に配置された上方開口の樋状のベルトガイドを備え、走行中の無端平ベルトは上方走行部の裏面がベルトガイドに接触して上方開口の樋状に変形して搬送物を搭載可能であることを特徴とするベルトコンベア装置。
【請求項２】
請求項１記載のベルトコンベア装置において、無端平ベルトの上方走行部の下に配置されたベルトガイドの入口側に導入ガイドが、出口側に導出ガイドが設けられ、導入ガイドは無端平ベルトの下方走行部側から走行してくる平面状の無端平ベルトの幅方向両端側を上方に押し上げて上方開口の樋状に湾曲可能な形状であり、導出ガイドはベルトガイドから上方開口の樋状で出てくる無端平ベルトの上方走行部が次第に平面状に復元される形状であることを特徴とするベルトコンベア装置。
【請求項３】
請求項１又は請求項２記載のベルトコンベア装置が、一つのケースに収容されており、そのケースに搬送物を投入する投入口と、空気取入れ口と、空気吸引部と、搬送された搬送物を排出する排出口とを備えたことを特徴とするベルトコンベア装置。
【請求項４】
請求項１又は請求項３記載のベルトコンベア装置において、駆動車及び従動車の夫々が駆動車ケース及び従動車ケース内に収容され、ベルトガイドが駆動車ケースと従動車ケースとの間に配置されたことを特徴とするベルトコンベア装置。
【請求項５】
請求項１乃至請求項４のいずれかに記載のベルトコンベア装置において、ベルトガイドの上方に無端平ベルトの上方走行部の上方開口部を閉塞可能な天蓋を着脱自在とし、このベルトガイドと天蓋とにより上方走行部を被覆したことを特徴とするベルトコンベア装置。
【請求項６】
請求項４又は請求項５記載のベルトコンベア装置において、駆動車ケースと、ベルトガイド及び天蓋による上方ケースと、従動車ケースとを一連に連結し、従動車ケースと上方ケースのいずれか一方又は双方に空気取入れ口を設け、駆動車ケースに空気吸引部を設け、空気吸引部からの空気の吸引により一連に連結された従動車ケース内、上方ケース内、駆動車ケース内を除塵可能としたことを特徴とするベルトコンベア装置。
【請求項７】
請求項１乃至請求項６のいずれかに記載のベルトコンベア装置において、無端平ベルトの下方走行部が下方ケース内に収容されたことを特徴とするベルトコンベア装置。
【請求項８】
請求項７記載のベルトコンベア装置において、駆動車ケースと、下方ケースと、従動車ケースと、上方ケースとを一連に連結し、従動車ケースと上方ケースのいずれか一方又は双方に空気取入れ口を設け、駆動車ケースに空気吸引部を設け、空気吸引部からの空気の吸引により一連に連結された従動車ケース内、下方ケース内、駆動車ケース内、上方ケース内を除塵可能としたことを特徴とするベルトコンベア装置。
【請求項９】
請求項１乃至請求項８のいずれかに記載のベルトコンベア装置において、無端平ベルトの上方走行部に搬送物を投入する投入口が上方走行部の上方に設けられ、上方走行部で搬送された搬送物を排出する排出口が駆動車ケースの底に設けられたことを特徴とするベルトコンベア装置。
【請求項１０】
請求項１乃至請求項９のいずれかに記載のベルトコンベア装置において、駆動車及び従動車の一方又は双方の幅方向中央部を大径にし、その大径部分に無端平ベルトを掛けたことを特徴とするベルトコンベア装置。
【発明の詳細な説明】
【技術分野】
【０００１】
本発明は、粒状穀物、砂礫、粉末状の物質、塊状の物質といった搬送物を搬送可能なベルトコンベア装置に関するものである。
【背景技術】
【０００２】
上記のような各種搬送物を搬送するベルトコンベア装置の一つとして、従来は図１０（ａ）（ｂ）に示すようなものがあった。これは円筒体の底面にスリットＢが形成されたガイドＡ内に、スリットＢから無端ベルトコンベアの上方走行部Ｃを導入し、上方走行部Ｃの裏面をガイドＡの内面下部に接触させることにより、上方走行部Ｃを上方開口の略Ｕ字形に変形させてガイドＡ内を走行させ、その上方走行部Ｃに前記のような搬送物をのせて搬送できるようにしてある。このベルトコンベア装置では磨耗に強く、滑りの良いセラミック板ＥがスリットＢ内に配置されて、走行する上方走行部Ｃの裏面を支持すると共に上方走行部Ｃの滑りを良くしている。また、スリットＢ内にセラミック板Ｅに代えて複数個のローラーを回転自在に配置し、そのローラーで走行する上方走行部Ｃの裏面を支持して上方走行部Ｃの滑りを良くしたものもあった（特許文献１参照）。
【０００３】
【特許文献１】実開平５−６８９３２号公報。
【発明の開示】
【発明が解決しようとする課題】
【０００４】
従来のベルトコンベア装置には、次のような課題があった。
（１）複数の短筒体のスリットＢを正確に真下に向けて連接してガイドＡを組立てることが困難であるため、セラミック板Ｅの水平度を確保できなかったり、各ローラーの回転軸がずれたりすることがあった。これに伴い、無端ベルトコンベアの上方走行部Ｃが搬送時に蛇行したり片寄ったりして、上方走行部Ｃの上の搬送物がこぼれたり、搬送ベルトＣの磨耗が激しくなる等の課題があった。
（２）ベルトコンベア装置の組立時には、上方走行部ＣをスリットＢからガイドＡ内に導入してから、スリットＢにセラミック板Ｅやローラーを取付けなければならず、組立、調整、メンテナンス等が面倒で、手間がかかっていた。
（３）搬送中の搬送物から生じる粉塵が、ガイドＡの下面のスリットＢから下方走行部の上やコンベア周辺に飛散し、作業環境が悪化することがあった。
（４）下方走行部がガイドＡの外に出ていてむき出しになっている（露出している）ため、屋外で使用するには不向きであった。
【課題を解決するための手段】
【０００５】
本発明は、上記課題を解決し、走行中の無端ベルトの搬送部が片寄ったり、蛇行したりすることなく、搬送物がこぼれないように搬送可能であり、搬送物から生じる粉塵を外部に飛散させることなく除塵することができ、組立、調整、メンテナンスも容易であり、屋外でも使用でき、構成も簡潔なベルトコンベア装置を提供するものである。
【０００６】
本件出願のベルトコンベア装置は、駆動車と、従動車と、両車に掛けて駆動車の回転により走行可能とした無端平ベルトと、無端平ベルトの上方走行部の下に配置された上方開口の樋状のベルトガイドを備え、走行中の無端平ベルトは上方走行部の裏面がベルトガイドに接触して上方開口の樋状に変形して搬送物を搭載可能としてある。また、前記無端平ベルトの上方走行部の下に配置されたベルトガイドの入口側に導入ガイドが、出口側に導出ガイドが設けられ、導入ガイドは無端平ベルトの下方走行部側から走行してくる平面状の無端平ベルトの幅方向両端側を上方に押し上げて上方開口の樋状に湾曲可能な形状であり、導出ガイドはベルトガイドから上方開口の樋状で出てくる無端平ベルトの上方走行部が次第に平面状に復元される形状にしてある。
【０００７】
本件出願のベルトコンベア装置は、前記ベルトコンベア装置が、一つのケースに収容されており、そのケースに搬送物を投入する投入口と、空気取入れ口と、空気吸引部と、搬送された搬送物を排出する排出口とを備えてある。
【０００８】
本件出願のベルトコンベア装置は、前記ベルトコンベア装置において、駆動車及び従動車の夫々が駆動車ケース及び従動車ケース内に収容され、ベルトガイドが駆動車ケースと従動車ケースとの間に配置されている。また、ベルトガイドの上方に無端平ベルトの上方走行部の上方開口部を閉塞可能な天蓋を着脱自在とし、このベルトガイドと天蓋とにより上方走行部を被覆してある。駆動車ケースと、ベルトガイド及び天蓋による上方ケースと、従動車ケースとを一連に連結し、従動車ケースと上方ケースのいずれか一方又は双方に空気取入れ口を設け、駆動車ケースに空気吸引部を設け、空気吸引部からの空気の吸引により一連に連結された従動車ケース内、上方ケース内、駆動車ケース内を除塵可能にもしてある。
【０００９】
本件出願のベルトコンベア装置は、前記ベルトコンベア装置において、無端平ベルトの下方走行部を下方ケース内に収容してある。また、駆動車ケースと、下方ケースと、従動車ケースと、上方ケースとを一連に連結し、従動車ケースと上方ケースのいずれか一方又は双方に空気取入れ口を設け、駆動車ケースに空気吸引部を設け、空気吸引部からの空気の吸引により一連に連結された従動車ケース内、下方ケース内、駆動車ケース内、上方ケース内を除塵可能としてある。無端平ベルトの上方走行部に搬送物を投入する投入口を上方走行部の上方に設け、上方走行部で搬送された搬送物を排出する排出口を駆動車ケースの底に設けてある。また、駆動車及び従動車の一方又は双方の幅方向中央部を大径にし、その大径部分に無端平ベルトを掛けてある。
【発明の効果】
【００１０】
本件出願の第１のベルトコンベア装置は、駆動車と従動車に掛けて駆動車の回転により走行可能とした無端平ベルトの搬送物搭載部の下に上方開口の樋状のベルトガイドを配置し、搬送物搭載部の裏面をベルトガイドに接触して走行させて、走行中の無端平ベルトの搬送物搭載部が上方開口の樋状に変形するようにしたので次のような効果がある。
（１）構成が簡潔であり、組立、調整、メンテナンスも容易である。
（２）従来のこの種のベルトコンベア装置のように、無端平ベルトの磨耗、蛇行、片寄りが起こらない。
【００１１】
本件出願の第２のベルトコンベア装置は、前記効果の他に次のような効果がある。
（１）無端平ベルトの搬送物搭載部の下に配置されたベルトガイドの入口側に導入ガイドが、出口側に導出ガイドが設けられ、導入ガイドは無端平ベルトのリターン部側から走行してくる平面状の無端平ベルトの幅方向両端側を上方に押し上げて樋状に湾曲させる形状であるため、搬送物搭載部をスムースに上方開口のＵ字形に変形させながらベルトガイド内に導入することが可能となる。また、導出ガイドはベルトガイドから上方開口のＵ字形で出てくる無端平ベルトの搬送物搭載部が次第に平面状に復元可能な形状であるため、搬送物搭載部をスムースに平面状に復元させることができ、無端平ベルトがベルトガイドの入口側、出口側で強制的に変形させられても損傷しにくくなる。
【００１２】
本件出願の第３のベルトコンベア装置は、前記効果のほかに次のような効果がある。
前記のベルトコンベア装置が、一つのケースに収容されており、そのケースに搬送物を投入する投入口と、空気取入れ口と、空気吸引部と、搬送された搬送物を排出する排出口とを備えたので、少ない部品数でベルトコンベア装置を作ることができ、組立、調整、メンテナンスも容易であるほか、生産コスト減にも資する。
【００１３】
本件出願の第４のベルトコンベア装置は、前記効果のほかに次のような効果がある。
（１）駆動車及び従動車の夫々が駆動車ケース及び従動車ケース内に収容され、ベルトガイドが駆動車ケースと従動車ケースとの間に配置されるので、動きのある駆動車及び従動車がむき出しとならず、作業の安全性が確保される。
（２）また、駆動車及び従動車の部分で、搬送物の粉塵が外部に飛散することがないため衛生的である。また、駆動車及び従動車の部分で外部から搬送物に異物が混入することもない。
【００１４】
本件出願の第５のベルトコンベア装置は、前記効果のほかに次のような効果がある。
（１）ベルトガイドの上方にその上方開口部を閉塞可能な天蓋を着脱自在としたため、ベルトガイドを閉塞すれば、搬送物の粉塵が外部に飛散することがなく、衛生的である。また、外部から搬送物に異物が混入することもない。
（２）天蓋がベルトガイドに着脱自在であるので、組立、調整、メンテナンスも容易である。
【００１５】
本件出願の第６のベルトコンベア装置は、前記効果のほかに次のような効果がある。
（１）駆動車ケースと、ベルトガイド及び天蓋による上方ケースと、従動車ケースとを一連に連結し、従動車ケースと上方ケースのいずれか一方又は双方に空気取入れ口を設け、駆動車ケースに空気吸引部を設け、空気吸引部からの空気の吸引により一連に連結された従動車ケース内、上方ケース内、駆動車ケース内を除塵可能としたので、それらケース内が除塵され、外部に飛散しないので職場環境が衛生的になる。また、外部から搬送物に異物が混入することもない。
【００１６】
本件出願の第７のベルトコンベア装置は、前記効果のほかに次のような効果がある。
（１）無端平ベルトの下方走行部が下方ケース内に収容されたので、屋外でも使用することが可能となる。
（２）空気中のゴミ等が無端平ベルトに付着することもなく、無端平ベルトの走行がスムースにもなる。
【００１７】
本件出願の第８のベルトコンベア装置は、前記効果のほかに次のような効果がある。
（１）駆動車ケースと、下方ケースと、従動車ケースと、上方ケースとを一連に連結し、従動車ケースと上方ケースのいずれか一方又は双方に空気取入れ口を設け、駆動車ケースに空気吸引部を設け、空気吸引部からの空気の吸引により一連に連結された従動車ケース内、下方ケース内、駆動車ケース内、上方ケース内を除塵可能としたので、それらケース内が除塵され、外部に飛散しないので職場環境が衛生的になる。また、外部から搬送物に異物が混入することもない。
（２）屋外でも使用することが可能となる。
（３）空気中のゴミ等が無端平ベルトに付着することもなく、無端平ベルトの走行がスムースにもなる。
【００１８】
本件出願の第９のベルトコンベア装置は、前記効果のほかに次のような効果がある。
（１）無端平ベルトの上方走行部に搬送物を投入する投入口が上方走行部の上方に設けられ、上方走行部で搬送された搬送物を排出する排出口が駆動車ケースの底に設けられたので、搬送物を投入、排出が所定位置から行なわれ、本発明のベルトコンベア装置を自動計量装置とか自動投入装置等と組合わせて、流れ作業を行うことのできるオートメーションシステムを組立てることができる。
【００１９】
本件出願の第１０のベルトコンベア装置は、前記効果のほかに次のような効果がある。
（１）駆動車及び従動車の一方又は双方の幅方向中央部を大径にし、その大径部分に無端平ベルトを掛けたので、駆動車及び従動車に掛けられた無端平ベルトは大径部分に強いテンションがかかり、無端平ベルトが駆動車や従動車の幅方向一端に片寄ったり、蛇行したりしにくくなり、無端平ベルトが常に駆動車や従動車の幅方向中央部を回転走行する。従って、樋状に湾曲された上方走行部が傾斜することが無く、上方走行部で搬送される搬送物が樋状に湾曲している上方走行部からこぼれ落ちることがなく、確実に搬送される。このため、落下した搬送物が無端平ベルトとベルトガイドの間に挟まれて、無端平ベルトの走行が不規則になったり、停止したりすることがない。
【発明を実施するための最良の形態】
【００２０】
（実施形態１）
本発明のベルトコンベア装置の実施形態の一例を、図面を示して説明する。図１に示すベルトコンベア装置は、図２に示すベルトコンベア１を備えてなる。ベルトコンベア１は、所定の間隔で配置された駆動車（ローラー）１１と従動車（ローラー）１２とに無端平ベルト１０を掛けた無端状の平板コンベアであり、その上方走行部（搬送物搭載部）２を図５に示す上方開口のほぼ半円状の樋状のベルトガイド３の上に乗せて走行させることにより、搬送物搭載部２がベルトガイド３の形状に沿って自動的に上方開口のほぼ半円状の樋状に変形し、変形した搬送物搭載部２に搬送物を搭載して搬送できるようにし、搬送物を搬送し終えると自動的に平板状に復元して下方走行部（リターン部）４となり、搬送物搭載部２に戻るようにしてある。ベルトガイド３の入口側及び出口側には、夫々ガイドローラー９が備えられており、入口側のガイドローラー９によって、無端平ベルト１０のリターン部４側から走行してくる平面状の無端平ベルト１０の幅方向両端側を上方に押し上げて樋状に湾曲させることができ、その形状のままスムースにベルトガイド３に導入させることができる。また、出口側のガイドローラー９によって、樋状に湾曲した形でベルトガイド３から送り出されてくる無端平ベルト１０を次第に平面状に復元されるようにガイドすることができる。図２のベルトコンベア１の駆動車部分は駆動車ケース５に、従動車部分は従動車ケース６に、リターン部４はリターン部ケース７に収容され、搬送物搭載部２はベルトガイド３とそれに被せた天蓋３０とによる搬送物搭載部ケース８によって被覆されている。駆動車ケース５と従動車ケース６との間に搬送物搭載部ケース８とリターン部ケース７とが配置され、駆動車ケース５、搬送物搭載部ケース８、従動車ケース６、リターン部ケース７が一連に連結されている。また、入口側のガイドローラー９は従動車ケース６に、出口側のガイドローラー９は駆動車ケース５内に備えられている。
【００２１】
前記無端平ベルト１０の上方走行部は搬送物を搭載して搬送するための搬送物搭載部７であり、下方走行部がリターン部４である。図２のベルトコンベア１はモータ等の駆動源（図示しない）によって図２の矢印Ａ方向に駆動車１１を回転させると無端平ベルト１０が矢印Ｂ方向に回転し、その回転によって従動車１２が回転するようにしてある。
【００２２】
前記ガイドローラー９は、図３に示すように、ローラー２０ａ〜ｄを四本、半円弧形に配置し、回動自在に固定したものである。ガイドローラー９は、細板状の底面部材２１の両端に柱材２２を立設し、前記底面部材２１から軸受材２３を突設して四本のローラー２０ｂ、２０ｃのうち二本を設置し、柱材２２に回転軸２４を備えて残りの二本２０ａ、２０ｄを設置したものである。前記半円弧形に配置されたローラー２０ａ〜ｄによって前記のように無端平ベルト１０をガイドすることができる。本実施形態では、同図に示すように、ガイドローラー９は、その底面部材２１を駆動車ケース５及び従動車ケース６の内壁に形成した足場２５に載せてねじ止め等によって固定して、駆動車ケース５又は従動車ケース６内に備え付けられる。
【００２３】
前記駆動車１１及び従動車１２は図４に示すように、幅方向中央部を大径に形成したローラー１３であって、その幅方向中央部に夫々のローラー１３の幅よりも幅の狭い帯状のガイド材１４を巻き付けて中央部の径を大きくしてある。ガイド材１４は摩擦力の大きい帯状の部材、例えば、帯状のゴムベルト等が適する。ガイド材１４の寸法は任意に選択することができるが、例えば、ローラー１３の幅が４３０ｍｍ〜４４０ｍｍ程度の場合は、幅１５０ｍｍ、厚さ１０ｍｍ程度が適する。ガイド材１４を設けることにより、駆動車１１及び従動車１２に掛けた無端平ベルト１０の幅方向中央部には強いテンションがかかり、幅方向両端部はローラー１３の幅方向両端部に触れる程度となるので、無端平ベルト１０がローラーの幅方向に位置ずれしにくくなる。また、ローラー１３の回転力が無端平ベルト１０に確実に伝達される。図１では駆動車１１は駆動車ケース５内に、前記従動車１２は従動車ケース６内に夫々内蔵されており、しかも駆動車１１、従動車１２の回転軸の取り付け位置を夫々のケースの前後方向に調節自在としてある。
【００２４】
前記ベルトガイド３は図５に示すように上方開口の半円弧状（Ｕ字形）の樋状に形成されている。ベルトガイド３は駆動車（ローラー）１１と従動車（ローラー）１２とに掛けた無端平ベルト１０の搬送物搭載部２の裏面を接触走行させるものであり、搬送物搭載部２を走行中に上方開口の樋状に変形させるものであるため、硬質樹脂、金属板等で形成して一定の形状が保持されるようにしてある。図５に示すベルトガイド３は二以上を繋ぎ合わせて所望長とすることができる。ベルトガイド３の内面は平滑に形成し、更に、滑り材をコーティングする等して搬送物搭載部７を滑り易くしてある。ベルトガイド３は用途に合わせて、両側壁を高くして樋状の内部を深くしたり、逆に、両側壁を低くして樋状の内部を浅くしたり、或いは、湾曲径を大きくしたり、小さくしたりして、搬送物搭載部７が所望形状となるようにすることができる。ベルトガイド３は半円弧状の樋状に限られず、例えば多角形の樋状等、任意の形状に形成することもできる。ベルトガイド３は図５に示す支持脚５６により図６（ｂ）のように作業場の床面等に支持することができる。
【００２５】
ベルトガイド３の上方開口部には図５に示すような天蓋３０を図１、図２に示すように脱着可能に被せることができる。図５の天蓋３０はベルトガイド３の上方開口部の形状と逆に下方開口に湾曲させてある。天蓋３０は図６（ｄ）に示すように、その幅方向両端部をベルトガイド３の幅方向両端のブラケット２９にボルトとナット等を用いて着脱自在に取付けてある。天蓋３０も長手方向に連結して、ベルトガイド３の長さに合った長さにしてある。
【００２６】
図１、図２に示すように、ベルトガイド３の上方開口部にあって、天蓋３０よりも入口側（図１の右側）には搬送物投入部３１を脱着可能に取付けてある。搬送物投入部３１は図７に示すように、天蓋３０と略同じ形状に湾曲させてベルトガイド３の上方開口部に被せることができるようにした基板３２に穴３３が開口されており、その穴３３の上に上下に開口する外箱３４が固定され、外箱３４の上に搬送物投入部３１が配置されている。搬送物投入部３１は蓋板３５の裏面にシューター３９が取付けられ、シューター３９の下方に内箱４０が配置され、内箱４０が蓋板３５にエアーシリンダー３８で連結されている。蓋板３５には投入口３６が開口され、その横に空気取入れ口３７が開口されている。空気取入れ口３７には網４１が張られて、ゴミ等が吸引されることを防止している。前記シューター３９は投入口３６の下に取付けられて、投入口３６から投入された搬送物がシューター３９を通り、内箱４０を通って外箱３４内に落下するようにしてある。シューター３９は、図８（ａ）（ｂ）に示すように、下方が狭くなるように形成されている。内箱４０は前記エアーシリンダー３８のロッドを伸ばすことにより図８（ａ）、図９（ａ）の位置から図８（ｂ）、図９（ｂ）のように搬送物搭載部ケース８内まで降下し、縮ませることにより図８（ｂ）、図９（ｂ）の位置から図８（ａ）、図９（ａ）のように搬送物搭載部ケース８の上の外箱３４の内側まで上昇するようにしてある。内箱４０は搬送物を投入する際は降下させ、搬送物を投入しないときは上昇させる。搬送物投入装置３１の取付け位置及び取付け数はベルトガイド３上の任意の取付け位置に任意数取付けることができる。
【００２７】
図９（ａ）〜（ｄ）に示すように、内箱４０の、進行方向先方側の側面下方は切り欠かれており、投入した搬送物が通過し易いようにしてある。内箱４０内には、調節板４２が配置され、調節板４２は、内箱４０の内壁に設けたガイド４９によって両側辺をガイドされて上下動自在に備えられている。調節板４２の上端には、調節板４２と垂直に受け板４３が設けられている。受け板４３にはねじ穴４４が開口され、更にナット４５が取り付けられている。受け板４３の上方には、ブリッジ状に支持板４６が形成されている。支持板４６にもねじ穴４７が開口されている。調節ボルト４８が、前記受け板４３のねじ穴４４及びナット４５と、前記支持板４６のねじ穴４７を貫通して備えられている。調節ボルト４８の上端にはハンドル５０が取り付けられ、ハンドル５０を回して調節ボルト４８を回転させることで前記受け板４３のナット４５の高さが変化して、調節板４２の高さを変化させることができる。図９（ｂ）に示すように、調節板４２の高さを変えて、調節板４２が搬送物搭載部ケース８内を遮る高さを変えることによって、投入した搬送物の搬送量を調節することができる。また、前記ハンドル５０の直上部分の蓋板３５には、挿通穴５１が開口され、挿通穴５１には、箱型のハンドルカバー５２が、蝶番によって開閉自在に取り付けられている。従って、図９（ａ）に示すように、内箱４０を上昇させたときに、ハンドル５０が、挿通穴５１を通って蓋板３５より上方に突出し、ハンドルカバー５２内に収まるようにしてある。ハンドル５０は、ハンドルカバー５２を開けて、挿通穴５１から手動で操作することができる。
【００２８】
前記駆動車ケース５は、図１に示すように、内部に駆動車１１を設置可能な略箱型の筐体であって、側面には搬送物搭載部ケース取付け口１５とリターン部ケース取付け口１６とが形成され、上面には本発明のベルトコンベア装置内の空気を吸引可能な空気吸引口１７が設けられ、底面にはベルトの搬送物搭載部２が搬送した搬送物を駆動車ケース５外に排出することができる排出ホッパー１８が設けられている。また、駆動車ケース５内部下方には、抑えローラー１９が固定位置を調節可能に備えられ、設置された駆動車１１に掛けられたベルトのリターン部４を駆動車１１へ押し付けたり、リターン部４の蛇行を修正することができるようにしてある。また、前記のように、搬送物搭載部ケース取付け口１５の内側には、搬送物搭載部ケース８の入口側のガイドローラー９が備え付けられている。
【００２９】
前記搬送物搭載部ケース取付け口１５は、前記搬送物搭載部ケース８を隙間なく駆動車ケース５に取付け可能で、ベルトの搬送物搭載部２を挿通できるように開口されている。また、同様にリターン部ケース取付け口１６は、前記リターン部ケース７を隙間なく駆動車ケース５に取付け可能で、ベルトのリターン部４を挿通できるように開口されている。
【００３０】
前記吸引口１７内には、ファン（図示しない）が備えられ、ファンを回転させて、一連に連結された駆動車ケース５内、搬送物搭載部ケース８内、従動車ケース６内、リターン部ケース７内の空気を外部に吸い出すことができるようにしてある。空気を外部に吸い出す方法は、ファンには限られず、例えば吸引装置を空気吸引口１７に取付けて空気を吸い出す等、任意の手段を用いることができる。
【００３１】
前記従動車ケース６は、図１に示すように、前記駆動車ケース５と同様に、内部に従動車１２を設置可能な略箱型の筐体であって、側面には前記駆動車ケース５と同様に搬送物搭載部ケース取付け口１５とリターン部ケース取付け口１６とが開口されている。また、従動車ケース３には、空気取入れ口２６が開口され、外部から従動車ケース３内に空気を取り込むことができるようにしてある。同図に示すように、空気取入れ口２６には網２７が貼ってあって、ゴミ等が吸い込まれることを防止している。また、前記駆動車ケース５と同様に、従動車ケース６内部下方にも、抑えローラー１９が固定位置を調節可能に備えられ、設置された従動車１２に掛けられたベルトのリターン部４を従動車１２へ押し付けたり、リターン部４の蛇行を修正すること等ができる。また、前記のように、搬送物搭載部ケース取付け口１５の内側には、搬送物搭載部ケース８の出口側のガイドローラー９が備え付けられている。
【００３２】
リターン部ケース７は、図２及び図５に示すように、駆動車ケース５と従動車ケース６のリターン部ケース取付け口１６にそれぞれ隙間なく取付けられて駆動車ケース５と従動車ケース６との間に備えられた部材であって、底部トラフ５３と、両側面の側板５４と、天板５５とを組み合わせてなるものであり、途中には、リターン部ケース７及び前記搬送物搭載部ケース８を支持する支持脚５６が形成されている。リターン部ケース７は、その内部空間内を無端平ベルト１０のリターン部４が走行できるようにしてある。前記搬送物搭載部ケース８とは異なり、リターン部ケース７の内壁にベルトのリターン部４が接触しないようにしてある。
【００３３】
前記底部トラフ５３は、図５及び図６（ａ）〜（ｄ）に示すように、上方開口の角樋状の部材であり、前記側板５４は、コ字型に形成された細板である。また、前記天板５５は、山形に形成された板材である。リターン部ケース７は、底部トラフ５３の幅方向両端に、側板５４をボルトやナット等によって取付けて、その上に天板５５を備えて固定し、底部トラフ５３の上方開口部を閉塞して形成されている。本実施形態では、リターン部ケース７は、二以上の底部トラフ５３と側板５４と天板５５とをつなぎ合わせて形成されたものであり、二以上の各部材のつなぎ目に、前記支持脚５６が備えられている。もっとも、リターン部ケース７は、一体成形した底部トラフ５３と側板５４と天板５５の各部材をつなぎ合わせて形成したり、全体を一体成形することもできる。
【００３４】
前記支持脚５６は、図５に示すように、前記底部トラフ５３の幅程度の間隔を開けて二本立てられた支柱５７と、前記二本の支柱５７の下端同士を連結させて底面部材５８を備えている。更に支柱５７間の、ベルトのリターン部４が走行する高さにはリターンローラー５９が回転自在に備えられ、支持脚５６に取付けられるリターン部ケース７の天板５５が位置する高さには支持体天板６０が夫々備えられている。更に二本の支柱５７の上端間には、前記搬送物搭載部ケース８を支持することができるケース支持具６１が備えられている。支持脚５６は、図６（ｂ）に示すように、二以上のリターン部ケース７の端部同士を支持脚５６において連結させることができ、二以上のリターン部ケース７をつなぎ合わせて、１本のリターン部ケース７とすることができる。支持脚５６の設置位置及び設置数は、図に示すものには限られず、リターン部ケース７の長さ等に応じて、任意の設置位置及び設置数とすることができる。
【００３５】
前記リターンローラー５９は、図６（ｂ）〜（ｄ）に示すように、リターン部４の下面を支持できる位置に備えられ、リターン部４がたるまないように走行させることができる。
【００３６】
また、前記支持体天板６０は、前記天板５５と同様の山形に形成された細板状の部材であり、図５、図６（ｃ）に示すように両端部を切り欠いて二本の支柱５７に取付けている。支持体天板６０は、二以上のリターン部ケース７の端部同士を支持脚５６において連結させると、図２に示すように、リターン部ケース７の天板５５と隙間なく連接されるようにしてある。
【００３７】
前記ケース支持具６１は、二本の支柱５７の上端間に備えられた板材であって、円弧状に切り欠かれて支持部６２が形成してあり、図５に示すように前記搬送物搭載部ケース８を支持できるようにしてある。
【００３８】
本発明のベルトコンベア装置を上記のような構成とすることにより、無端平ベルト１０は、次のように動作する。
（１）従動車ケース５内の、搬送物搭載部ケース８入口側のガイドローラー９によって、無端平ベルト１０のリターン部４側から走行してくる平面状の無端平ベルト１０の幅方向両端側を上方に押し上げて樋状に湾曲させて、その形状のまま搬送物搭載部ケース８に導入される。
（２）ベルトガイド３の内面に、無端平ベルト１０の搬送物搬送部２の裏面が接触し、無端平ベルト１０が上方開口の樋状に変形された状態で接触走行する。この時、上方開口の樋状に変形された無端平ベルト１０の搬送物搭載部２上に、搬送物投入装置３１から、粒状穀物や砂礫や粉末状の物質及び塊状の物質等の搬送物を投入し、搬送物搭載部２に載せて搬送することができる。
（３）駆動車ケース５内の搬送物搭載部ケース８出口側のガイドローラー９によって、搬送物搭載部ケース８から走行してくる上方開口の樋状に変形された無端平ベルト１０の搬送物搭載部２を、上方開口の樋状に変形されたままガイドして、搬送物搭載部ケース８から導出させる。搬送物搭載部ケース８から導出された無端平ベルト１０は、駆動車１１に近づくにつれて次第に平面状に復元される。
（４）駆動車１１部分において、無端平ベルト１０上の前記搬送物が滑り落とされ、排出ホッパー１８から外部に排出される。
（５）駆動車１１を回り終えた無端平ベルト１０のリターン部４は、平面状のままリターン部ケース７内を走行し、再び従動車ケース５内に送られる。
無端平ベルト１０は、上記（１）〜（５）の動作を繰り返す。
【００３９】
本発明のベルトコンベア装置を用いて、装置内を除塵する場合は、次のようにする。
（１）搬送物搭載部ケース８及びリターン部ケース７を、夫々天蓋３０と天板５５とによって閉塞する。
（２）従動車ケース５の空気吸引口１７の中のファンを回転させ、一連に連結された駆動車ケース５内、搬送物搭載部ケース８内、従動車ケース６内、リターン部ケース７内の空気を外部に吸い出す。
（３）ファンによって装置内の空気が装置外へ吸い出されるため、従動車ケース６の空気取入れ口２６及び搬送物投入装置３１の空気取入れ口３７から、装置外の空気が装置内へと吸い込まれる。
（４）従動車ケース６の空気取入れ口２６及び搬送物投入装置３１の空気取入れ口３７から装置内に吸い込まれた空気は、空気を装置外へ吸い出す空気吸引口１７に向かって、駆動車ケース５内、搬送物搭載部ケース８内、従動車ケース６内、リターン部ケース７内を移動するので、駆動車ケース５内、搬送物搭載部ケース８内、従動車ケース６内、リターン部ケース７内の粉塵を、移動する空気によって取り除くことができる。特に、搬送物投入装置３１の空気取入れ口３７からも空気が吸い込まれる搬送物搭載部ケース８内は良く除塵され、搬送物に粉塵が混ざることも少なくなる。
（５）取り除いた粉塵は空気吸引口１７から装置外へ空気と共に排出することができるが、フィルター等によって集めて処分することが望ましい。
【００４０】
（実施形態２）
本発明のベルトコンベア装置の実施形態の他の例について説明する。本実施形態のベルトコンベア装置も、基本的構成については前記実施形態１と共通する。前記実施形態１においては、ベルトガイド３に天蓋３０を被せて無端平ベルト１０の搬送物搭載部２を被覆してあるが、本実施形態においては、天蓋を使用せずに、搬送物搭載部カバーによって、ベルトガイドと無端平ベルトの搬送物搭載部とを被覆可能としてあるものである。前記搬送物搭載部カバーの上面には搬送物投入装置３１を備え、搬送物投入装置３１の蓋板３５には、空気取入れ口３７が開口されている。また、搬送物搭載部カバーには、搬送物搭載部カバー外から搬送物搭載部内を見る事ができる覗き窓を形成することもできる。
前記搬送物搭載部カバーの形状は、ベルトガイドと無端平ベルトの搬送物搭載部とを被覆可能であれば、箱体状、円筒形等、任意の形状とすることができる。
【００４１】
（実施形態３）
本発明のベルトコンベア装置の実施形態の他の例について説明する。前記実施形態１においては、ベルトコンベア１の各部を、駆動車ケース５、搬送物搭載部ケース８、従動車ケース６、リターン部ケース７によって各部ごとに被覆していたが、本実施形態のベルトコンベア装置は、前記ベルトコンベア１を、一つの収容ケースに収容可能としたものである。前記収容ケースの内、駆動車１１側の上面には空気吸引口１７を備え、駆動車１１側の底面には排出ホッパー１８を備え、無端平ベルト１０の搬送物搭載部２の上方の上面には搬送物投入装置３１を備え、搬送物投入装置３１の蓋板３５には、空気取入れ口３７が開口する。また、従動車１２側の側面にも、空気取入れ口２６を開口する。従って、本実施形態のベルトコンベア装置は、前記実施形態１に記載のベルトコンベア装置と同様の作用効果を得ることができる。また、前記収容ケースの形状は、箱型や、円柱型や、球形など、任意の形状とすることができ、大きさも任意の大きさとすることができる。
【００４２】
（その他の実施形態）
前記実施形態１においては、リターン部ケース７は、底部トラフ５３と、両側面の側板５４と、天板５５とを組み合わせて、リターン部４を閉塞してなるものであったが、これには限られず、任意の形状及び構成とすることが可能である。従って、例えば空気取入れ口を設けて、リターン部の除塵効率を向上させることも可能である。また、本発明のベルトコンベア装置において、リターン部ケースを備えずに構成すること可能である。
【００４３】
前記実施形態１においては、ベルトガイド３は、駆動車ケース５と従動車ケース６との間に隙間なく連結させて備えられたが、ベルトガイド３は、これには限られず、無端平ベルト１０の搬送物搭載部２の裏面に部分的に接触するように、部分的にのみ備えることも可能である。その他にも、ベルトガイド３は、無端平ベルト１０の搬送物搭載部２をガイド可能であれば、任意の形状とすることができる。
【００４４】
前記実施形態１においては、搬送物搭載部ケース８の導入ガイド及び導出ガイドとして前記ガイドローラー９を用いたが、導入ガイド及び導出ガイドは、ガイドローラーには限られず、無端平ベルトの搬送物搭載部をガイド可能であれば、任意のものを用いることができる。従って、例えば自在に回転する球体を多数個半円弧上に備えたものや、セラミック板を半円弧上に備えたもの等であってもよい。
【産業上の利用可能性】
【００４５】
本発明のベルトコンベア装置は、広く農業、工業の分野等に応用することができる。
【図面の簡単な説明】
【００４６】
【図１】本発明のベルトコンベア装置の実施形態の一例を示す斜視説明図。
【図２】図１に示すベルトコンベア装置を示す分解斜視図。
【図３】図１に示すベルトコンベア装置に使用するガイドローラーを示す断面説明図。
【図４】図１に示すベルトコンベア装置に使用するローラーを示す正面説明図。
【図５】図１に示すベルトコンベア装置に使用するケースを示す分解斜視図。
【図６】（ａ）は、図１に示すベルトコンベア装置に使用するケースを示す平面図。（ｂ）は、（ａ）に示すケースを示す正面図。（ｃ）は、（ｂ）に示すケースのＡ−Ａ´面での断面図。（ｄ）は、（ｂ）に示すケースのＢ−Ｂ´面での断面図。
【図７】図１に示すベルトコンベア装置に使用する搬送物投入装置を示す分解斜視図。
【図８】（ａ）、（ｂ）は、図１に示すベルトコンベア装置搬送物投入装置部分を示す側面断面図。
【図９】（ａ）〜（ｄ）は、図１に示すベルトコンベア装置搬送物投入装置部分を示す正面断面図。
【図１０】（ａ）は、従来のベルトコンベア装置を示す斜視説明図。（ｂ）は、（ａ）に示すベルトコンベア装置の断面説明図。
【符号の説明】
【００４７】
１  ベルトコンベア
２  搬送物搭載部
３  ベルトガイド
４  リターン部
５  駆動車ケース
６  従動車ケース
７  リターン部ケース
８  搬送物搭載部ケース
９  ガイドローラー
１０  無端平ベルト
１１  駆動車
１２  従動車
１３  ローラー
１４  ガイド材
２６  空気取入れ口
３７  空気取入れ口
【図１】
2005225635.tif 000003
【図２】
2005225635.tif 000004
【図３】
2005225635.tif 000005
【図４】
2005225635.tif 000006
【図５】
2005225635.tif 000007
【図６】
2005225635.tif 000008
【図７】
2005225635.tif 000009
【図８】
2005225635.tif 000010
【図９】
2005225635.tif 000011
【図１０】
2005225635.tif 000012